(57)【要約】【課題】  水槽内部に定量の洗剤を加えることができ、水槽内部に加わる洗剤の量を一致させることができる溶液排出器を提供する。【解決手段】  容器１は、内部に溶液を収納可能であり、一端が溶液を容器１内部の開口部１０に補充可能であり、他端に貫通穴１２が設けられている。一つの接続物１６は、容器１上の貫通穴１２に向かい合う位置に設けられ、底部と貫通穴１２との間には間隔がおかれ、かつ接続物１６上に少なくとも一つの中空部１６２が設けられている。一つの浮き体２は、接続物１６と貫通穴１２との間に設けられている。浮き体２は水槽１の液面高度に伴って変化し、貫通穴１２にくっつくまたは貫通穴１２と遠く離れる。溶液は、浮き体２の位置変化に従って水槽１内部に自動排出されるか、または、水槽１への排出が中止される。【選択図】    図１
0003104910.tif 000002
【実用新案登録請求の範囲】
【請求項１】
内部に溶液を収納可能であり、一端が溶液を前記容器内部の開口部に補充可能であり、他端に貫通穴が設けられている容器と、
前記容器上の前記貫通穴に向かい合う位置に設けられ、底部と前記貫通穴との間には間隔がおかれ、かつ少なくとも一つの中空部が設けられている接続物と、
前記接続物と前記貫通穴との間に設けられている浮き体と、
を備えることを特徴とする溶液排出器。
【請求項２】
前記容器は、前記開口部に蓋本体が設けられ、前記蓋本体上に少なくとも一つの開孔が設けられていることを特徴とする請求項１記載の溶液排出器。
【請求項３】
前記容器の周りには、滑り軌道が設けられ、前記滑り軌道上に滑り移動可能な逆Ｕ型の吊り下げ部品が設けられ、前記滑り軌道両端の間に自由移動可能な接続部品が設けられ、前記吊り下げ部品は前記接続部品に向かい合う面に少なくとも一つの前記接続部品と連結する接続部が設けられていることを特徴とする請求項１記載の溶液排出器。
【請求項４】
前記浮き体は、前記貫通穴に向かい合う位置に突出部が設けられていることを特徴とする請求項１記載の溶液排出器。
【請求項５】
前記接続物は、浮き体に接近する周りに前記浮き体が前記接続物内の活動範囲を制限する置制限部が設けられていることを特徴とする請求項１記載の溶液排出器。
【請求項６】
前記容器内部と前記貫通穴との接続位置には、前記貫通穴に縮合する傾斜部が設けられていることを特徴とする請求項１記載の溶液排出器。
【請求項７】
前記吊り下げ部品は、前記滑り軌道の面を遠く離れて移動可能なブロックが取り付けられていることを特徴とする請求項１記載の溶液排出器。
【請求項８】
前記容器は、密閉状であり、かつ可撓性の導管と導通し、前記導管の他端は前記水槽外のもう一つの容器に連結され、前記もう一つの容器は前記溶液を収納可能であり、前記もう一つの容器に気孔が設けられていることを特徴とする請求項１記載の溶液排出器。
【請求項９】
前記蓋本体は、可撓性の導管の一端に接続され、前記導管の他端は前記水槽外のもう一つの容器につないで置かれ、前記もう一つの容器の内部は前記溶液を収納可能であり、前記もう一つの容器に気孔が設けられていることを特徴とする請求項２記載の溶液排出器。
【請求項１０】
前記もう一つの容器には、本体が設けられ、前記本体は前記水槽の背面位置に前記本体に取り付けられる蓋と、かつその周りに穿孔が設けられ、前記穿孔は該導管と接続されていることを特徴とする請求項８または請求項９記載の溶液排出器。
【請求項１１】
前記接続物の内周部には、一つの連結部が設けられ、前記容器はそのほかの端周りにもう一つの連結部が設けられ、前記連結部と前記もう一つの連結部とは互いに接続可能であることを特徴とする請求項１記載の溶液排出器。
【考案の詳細な説明】
【技術分野】
【０００１】
本考案は、溶液排出器に関わる。特に、一種の排出量制御可能であり、かつ溶液を自動で排出可能な排出器を指す。前記排出器は、溶液排出の過程で、一つの水槽に排出された溶液を前記水槽内部の液体と十分に混合できる。
【背景技術】
【０００２】
便器は、従来よりみんなが嫌がる清掃作業の一つである。しかしながら、使用前、使用中または使用後ともに嫌がる匂いを残す可能性があるため、家庭清掃用品のメーカーは、ユーザーが洗剤を利用して便器上の垢を簡単に清掃でき、便器清掃の不注意により汚水のはねを防止できるようにさまざまな洗剤の開発に努めてきた。しかし、便器がきれいに清掃されても、垢はまた容易に付着するものであり、使用するたびに清掃することも非常に面倒なことである。したがって、家庭清掃用品メーカーは一種の便器の水槽に直接投入可能な固定洗剤を開発し、前記固体洗剤は洗剤及び芳香剤などの成分が含まれており、これは水槽内部に投入されると、前記水槽に溶解し、洗剤液を形成する。したがって、便器使用後のフラッシングのとき、前記水槽内部の洗剤液は便器上に流されて、前記便器は垢を付着し難くなる。
【０００３】
しかしながら、前記固体洗剤は前記水槽内部に漬ける期間につれて前記水槽内部に溶解される洗剤の量が少なくなり、または、フラッシングの時間間隔により前記固体洗剤は前記水槽内部で溶解される薬剤の量もまちまちである。前記固体洗剤が長期間にわたり溶解していた場合は、清潔及び芳香の効果をもたらすが、固体洗剤の洗剤は浪費される。その逆で、前記固体洗剤の溶解される洗剤の量が不足していた場合は、予期した清潔効果を達成できない。
【０００４】
さらに、前記固体洗剤は、前記水槽に注水している間、前記水槽内部の水と充分に混合されるが、前記水槽が注水されていないときでも、前記固体洗剤は溶解し続ける。そして、このときに溶解された固体洗剤は前記水槽内部の水と十分に混合できず、前記水槽底部の洗剤または芳香剤の含量が濃くなり、前記洗剤は垢を簡単に清掃することができる。しかし、濃度の低い芳香剤は残される。このため、フラッシングした後、芳香剤の発散は長続きできない。
【０００５】
このため、前記水槽内部に定量の洗剤を加えることができるほか、フラッシングの間隔時間に関わらず、前記水槽内部に加わる洗剤の量を一致させることは、一刻も許されず直ちに解決すべき課題である。
【考案の開示】
【考案が解決しようとする課題】
【０００６】
上記に説明した通り、従来の欠点を改善し、考案請求人は長期にわたり研究及び実験を重ね、本考案における一種の溶液排出器の開発に成功した。
本考案の一つの目的は、一種の溶液排出器を提供する。溶液を収納する一つの容器を有し、前記容器の一端に開口部を設け、他端に貫通穴を設け、さらに前記容器の貫通穴に向かい合う位置に接続物を設ける。前記接続物と前記貫通穴との間に一つの浮き体を設け、前記接続物上に少なくとも一つの中空部を設け、前記容器がある水槽の内部に取り付けられるとき、前記浮き体は前記水槽の液面高度に伴って変化し、前記貫通穴にくっつくまたは前記貫通穴と遠く離れる。前記溶液は、前記浮き体の位置変化に従って前記水槽内部に自動排出されるか、または、前記水槽への排出が中止される。このように、前記溶液はその都度に一定の洗剤の量を前記水槽に排出するほか、水槽内部の液体と充分に混合できる。
【０００７】
本考案のもう一つの目的は、容積が小さく、前記水槽内部に取り付けられる容器を製造する。前記水槽外部に容積がより大きく、かつ前記溶液を収納可能なもう一つの容器を取り付けて、前記容器または前記開口部と前記水槽との間に可撓性の導管を設け、前記導管を折り曲げることによって、前記容器と前記容器の液面を直接交差する状態にし、前記水槽内部の適切な位置上に取り付けられる。このほか、前記もう一つの容器上に一つの気孔を設け、前記もう一つの容器を外部と導通状態にし、前記もう一つの容器は内外圧が同一の状態において、前記もう一つの容器内部の溶液が自重により前記導管より前記容器内部に流される。前記水槽内部に省水設備が取り付けられて、前記水槽の空間に大容量容器を取り付けできない。または、前記水槽内璧が傾斜または円弧状のとき、前記容器は前記導管によって前記水槽内部に吊り下げることができ、溶液添加のために前記容器を取り外す面倒をなくすことができる。
【０００８】
本考案のさらなるもう一つの目的は、前記容器の周りに一つの滑り軌道を設け、前記滑り軌道上に逆Ｕ型の吊り下げ部品を設け、前記吊り下げ部品は前記滑り軌道上で滑り移動できるほか、前記滑り軌道に向かい合う位置に少なくとも一つの接続部を設け、前記滑り軌道はその両端の間に移動可能な前記接続部と組み合わされる部品を設け、前記吊り下げ部品が前記滑り軌道上で滑り移動するとき、前記吊り下げ部品上の異なる接続部は接続部品によって制止される。このように、前記容器は前記吊り下げ部品によって従来の壁面に垂直した水槽内部に吊り下げることができるほか、前記容器の前記水槽内部への取り付け位置の変更により、前記溶液が前記水槽に排出される洗剤の量を変更する。つまり、ユーザー自身で洗剤の量の多寡を調整できる。
【課題を解決するための手段】
【０００９】
本考案は、一つの容器は内部に溶液を収納可能であり、一端が溶液を容器内部の開口部に補充可能であり、他端に貫通穴が設けられ、一つの接続物は容器上の貫通穴に向かい合う位置に設けられ、底部と貫通穴との間には間隔がおかれ、かつ接続物上に少なくとも一つの中空部が設けられ、一つの浮き体は接続物と貫通穴との間に設けられていることを特徴とする。
【考案を実施するための最良の形態】
【００１０】
本考案の目的、形状、構造、裝置の特徴及びその効果について、さらなるの認識と理解を図るため、実施例を図面に合わせて、以下の通り詳細に説明する。
本考案の一実施例による溶液排出器は、図１及び図２に示すように、水槽３内部に取り付けられる容器１を有し、前記水槽３は水量を自動で補足でき、前記容器１は溶液（洗剤など）を収納でき、一端に溶液を前記容器１内部に補充可能な開口部１０が設けられ、他端に貫通穴１２が設けられている。前記容器１は前記貫通穴１２の向かい合う位置に接続物１６が設けられ、前記接続物１６の底部と前記貫通穴１２との間にはある間隔がおかれ、さらに前記接続物１６上に少なくとも一つの中空部１６２が設けられ、前記接続物１６と前記貫通穴１２との間に浮き体２が設けられ、前記水槽３内部の液面が前記貫通穴１２より低いとき、前記浮き体２は前記水槽３の液面に追随して移動し、前記貫通穴１２との接続位置を離され、前記容器１内部の溶液を前記貫通穴１２より排出させる。さらに、前記水槽３内部の液面が次第に高くなり、前記浮き体２と接触するとき、前記浮き体２は前記液面に追随して高くなり、前記貫通穴１２上にくっついて、前記容器１内部の溶液を前記貫通穴１２より排出させない。このように、前記溶液排出器は前記溶液を前記水槽３に自動排出するかまたは前記水槽３への排出を停止させることができる。さらに、前記溶液が前記水槽３に排出される同時に、前記水槽３は保存量を補充でき、前記水槽３に加わる液体（水など）は絶えず前記溶液と水槽３内部の液体に衝撃を与え、前記溶液と前記液体を充分に攪拌させ、一体化で混合する。
【００１１】
前記水槽３の内部に省水設備が取り付けられる場合、前記水槽３の空間に大容量容器１を取り付けることができず、または、前記水槽３の内璧が傾斜または円弧状構造のため、前記水槽３内部に前記容器１を固定することが難しい。または、溶液添加のために、時々前記水槽３内部より前記容器１を取り外す面倒が避けられる。本考案のより良い実施例は、図１を参照する。小容量でかつ前記水槽３内部に取り付け可能な密閉式容器１が設けられ、前記容器１の一端または天面に孔１４２が開けられ、可撓性の導管４の一端と接続し、前記導管４の他端は前記水槽３外部に接続可能な大容量の容器５が設けられ、前記もう一つの容器５の内部に前記溶液を収蔵できる。前記もう一つの容器５上に気孔５２が設けられ、前記もう一つの容器５は外部に導通されている。このように、前記導管４を折り曲げることによって、前記容器１は前記水槽３の液面と直接交差する状態になり、前記水槽３内部の適切な位置に置かれることができるほか、前記もう一つの容器５は内外圧が同様なときに、前記気孔５２により、前記もう一つの容器５内部の溶液が自重により前記導管４より前記容器１内部に排出される。
【００１２】
前記実施例のうち、前記もう一つの容器５は本体５４を有し、前記本体５４は前記水槽３の背面位置に前記本体５４上にかぶせる蓋５６が設けられ、その周りに穿孔５８が設けられ、前記穿孔５８は前記導管４と接続できる。前記気孔５２は、前記蓋５６上に設けられている。このように、前記もう一つの容器５上より蓋５６を取り外すことによって、前記溶液を添加できる。
【００１３】
本考案の他のより良い実施例は、図２に示す通り、前記容器１は前記開口１０上に蓋本体１４が設けられ、前記蓋本体１４上に少なくとも一つの孔１４２が設けられ、前記蓋本体１４を前記開口部１０上にかぶせて、外部の異物の前記容器１内部への侵入や、前記貫通穴１２が異物によってふさがることが避けられる。前記容器１内部の溶液は前記貫通穴１２より順調に排出される。このほか、前記孔１４２は、設計上、前記容器１を密閉空間とせず、前記容器１を外部と導通状態に維持することによって、前記容器の内外圧が同一の条件において、前記溶液は自重により前記貫通穴１２より排出される。
【００１４】
前記実施例のうち、前記容器１の周りに滑り軌道１８２が設けられ、前記滑り軌道１８２上に滑り移動可能な逆Ｕ型の吊り下げ部品１８６が設けられ、前記滑り軌道１８２の両端に自由移動可能な接続部品１８４が設けられ、前記吊り下げ部品１８６は前記接続部品１８４の向かい合う位置に少なくとも一つの前記接続部品１８４と接続可能な接続部１８１が設けられ、前記吊り下げ部品１８６が前記滑り軌道１８２上で滑り移動するとき、前記吊り下げ部品１８６上のそれぞれの接続部１８１は接続部品１８４によって制止され、前記吊り下げ部品１８６天面から前記接続物１６の間の距離を変更させる。このように、前記吊り下げ部品１８６によって前記容器１を従来方式の垂直状態の水槽３に吊り下げることができるほか、前記水槽の容積または深さに従って調整し、前記容器１の前記水槽３内部に取り付ける位置を変更し、前記溶液より前記水槽３に排出される洗剤の量を制御する。
【００１５】
前記吊り下げ部品１８６の前記水槽３内部における位置調整並びに前記溶液を前記水槽３に排出させる洗剤の量の制御について、以下に前記吊り下げ部品１８６が調整された後の使用状況を説明する。
【００１６】
前記吊り下げ部品１８６天面の接続部１８１にもっとも近づいて前記接続部品１８４によって制止されるとき、前記容器１は前記水槽３の底面に近い位置に接近し、前記水槽３の液体補充するときに、前記水槽３の液面は素早く前記浮き体２と接触し、前記浮き体２は短時間内に前記貫通穴１２をふさがりながらくっついて、前記容器１内部の溶液の排出を中止させる。このため、上述の状況において、前記溶液は、前記水槽３に排出される洗剤の量が少なくなる。
【００１７】
逆に、前記吊り下げ部品１８６底面の接続部１８１にもっとも近づけて前記接続部品１８４によって制止されるとき、前記容器１は前記水槽３底面のより遠い位置に伸長される。このため、前記水槽３の液面は前記浮き体２と接触して、少し時間を経過してから、前記貫通穴１２に塞ぎながらくっついて、前記容器１内部の溶液を排出させない。これにより、前記溶液を前記水槽３に注入する洗剤の量が多くなる。
【００１８】
前記実施例のうち、前記浮き体２は前記貫通穴１２に向かい合う位置に突出部２２が設けられ、前記浮き体２が前記貫通穴１２上にくっつくとき、前記突出部２２は前記貫通穴１２の内部に挿入して、前記貫通穴１２を塞いで、前記浮き体２は確実に前記貫通穴１２を塞ぎ、さらに、前記接続物１６の容積が前記浮き体２に対して余り大きすぎると、前記突出部２２が精確に前記貫通穴１２に挿入できないことを避けるため、前記実施例のうち、前記接続物１６は前記浮き体２の周りに近づいた場所に位置制限部１６４が設けられ、前記浮き体２が前記接続物１６内の活動範囲を制限し、前記突出部２２が速やかに前記貫通穴１２を塞ぐ。
【００１９】
さらに、前記溶液が前記貫通穴１２に移動し、前記容器１内部の溶液を前記貫通穴１２より排出させるため、前記実施例のうち、前記容器１内部と前記貫通穴１２との接続位置に前記貫通穴に縮合される傾斜部１１が設けられ、前記溶液を前記傾斜部１１に沿って前記貫通穴１２に排出させる。
【００２０】
各種の水槽３の厚み及び内部の空間は不一致なため、本考案の他のより良い実施例は、前記吊り下げ部品１８６が前記滑り軌道１８２と離れている面に活動可能なブロック１８８が設けられ、異なる厚みのブロック１８８と前記吊り下げ部品１８６に接続させて、前記容器１が前記水槽３上に安定して固定されている。
【００２１】
前記実施例のうち、図１に示すように、前記接続物１６内側の周りに連結部１６６が設けられ、前記容器１は前記貫通穴１２一端の周りにもう一つの連結部１３が設けられ、前記浮き体２がまず前記接続物１６内部または前記位置制限部１６４内に取り付けられた後、前記連結部１６６ともう一つの連結部１３により連結されて、前記接続物１６と前記容器１を安定して連結するかまたは前記接続物１６と前記容器１を取り外して分離できる。前記貫通穴１２に目詰まりが発生した場合、前記接続物１６を前記容器１より取り外して、前記容器１の他端から前記貫通穴１２を清掃できる。前記貫通穴１２は清掃完了後、前記接続物１６が再び前記容器１上に取り付けられる。このように、前記排出器は前記貫通穴１２が目詰まって使用不能な状況を避けて、前記排出器はより長い期間の使用に耐えられる。
【００２２】
以上の構成部品の説明により、前記容器１内部の溶液を前記水槽３内に自動添加できるほか、前記水槽３内部への充填量を制御でき、さらに、前記水槽３内部の液体と充分に混合して、従来の固体洗剤の直接水槽内部への投入による混合量の不均衡及び混合不十分の欠点は解消される。
【００２３】
以上に説明するものは、本考案のもっとも理想な具体的な実施例であり、しかし、本考案の構造及び特徴はこの限りではない。前記技量を有するいずれかの者は、本考案分野において、これを変化または修飾できるものは、すべて本考案の特許範囲に含まれる。
【図面の簡単な説明】
【００２４】
【図１】本考案の一実施例による溶液排出器を示す断面図である。
【図２】本考案の他の実施例による溶液排出器を示す断面図である。
【符号の説明】
【００２５】
１  容器、２  浮き体、３  水槽、４  導管、５  容器、１０  開口部、１１  傾斜部、１２  貫通穴、１３  連結部、１４  蓋本体、１６  接続物、２２  突出部、５２  気孔、５４  本体、５６  蓋、５８  穿孔、１４２  孔、１６２  中空部、１６４  位置制限部、１６６  連結部、１８１  接続部、１８２  滑り軌道、１８４  接続部品、１８６  吊り下げ部品、１８８  ブロック
【図１】
0003104910.tif 000003
【図２】
0003104910.tif 000004